【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
指定された第１文書ファイルを、編集対象の第２文書ファイルにインポートする文書処理装置であって、
インポートするよう指定された前記第１文書ファイルがセキュリティ設定の付加されたファイルである場合、前記第１文書ファイルのセキュリティ設定を維持したまま前記第２文書ファイルに保持させて第３文書ファイルを作成するインポート制御手段を有することを特徴とする文書処理装置。
【請求項２】
前記第１文書ファイル内における編集を抑制しつつ、前記第３文書ファイルの編集を許可する変更制御手段を更に有することを特徴とする請求項１に記載の文書処理装置。
【請求項３】
前記変更制御手段は、前記第１文書ファイル内のページ配置を変更することなく、前記第３文書ファイルのページ配置を変更することを特徴とする請求項２に記載の文書処理装置。
【請求項４】
前記第３文書ファイルにおいて、前記第１文書ファイルを単位として編集を許可する許可手段と、
前記第1文書ファイル内において、ページ単位での編集を禁止する禁止手段とを更に有することを特徴とする請求項１乃至３のいずれかに記載の文書処理装置。
【請求項５】
前記変更制御手段の変更に応じて警告を発する警告制御手段を更に有することを特徴とする請求項２乃至４のいずれかに記載の文書処理装置。
【請求項６】
前記第１文書ファイルに基づくページに付加情報を付加する付加手段と、
前記付加手段により付加された付加情報と前記第１文書ファイルとに基づく印刷出力を行なわせる制御手段とを、更に有することを特徴とする請求項１乃至５のいずれかに記載の文書処理装置。
【請求項７】
前記セキュリティ設定を維持した前記第１文書ファイルを、前記第３文書ファイルからエクスポートするエクスポート制御手段を更に有し、
前記エクスポート制御手段は前記付加情報を除く前記第１文書ファイルをエクスポートすることを特徴とする請求項６に記載の文書処理装置。
【請求項８】
セキュリティ設定が付加された第１文書ファイルがインポートされ、作成された前記第３文書ファイルに対する操作の制限表示を行なわせる制限メッセージ表示手段を更に有することを特徴とする請求項１乃至７のいずれかに記載の文書処理装置。
【請求項９】
前記制限メッセージ表示手段は、前記第１文書ファイルに付加されるセキュリティ設定の種別に応じた前記第３文書ファイルに対する操作の制限表示を行なわせることを特徴とする請求項８に記載の文書処理装置。
【請求項１０】
前記第１文書ファイルにセキュリティ設定が施されているか否かを識別する識別手段を更に有し、前記識別手段によりセキュリティ設定が施されていないと識別された文書ファイルが前記第２文書ファイルにインポートされた場合に前記変更制御手段は前記第３文書ファイルにおける任意のページの順番を変更することを特徴とする請求項２乃至９のいずれかに記載の文書処理装置。
【請求項１１】
前記第２文書ファイルと前記第１文書ファイルとを識別するための管理テーブルを生成する生成手段を有することを特徴とする請求項１乃至１０のいずれかに記載の文書処理装置。
【請求項１２】
前記インポート制御手段は前記管理テーブルに基づき、前記セキュリティ設定がされた前記第１文書ファイルを、当該セキュリティ設定を維持した別ファイルとして、前記第３文書ファイルに保持することを特徴とする請求項１１に記載の文書処理装置。
【請求項１３】
前記生成手段は、前記第３文書ファイルにおける、前記第１文書ファイルの章とページの関係を特定するためのデータを前記管理テーブルとして生成することを特徴とする請求項１１または１２に記載の文書処理装置。
【請求項１４】
前記管理テーブルに基づき、前記第１文書ファイルがセキュリティ設定の付加されたファイルであることを識別表示するための表示出力制御手段を更に備えることを特徴とする請求項１１乃至１３のいずれかに記載の文書処理装置。
【請求項１５】
前記インポート制御手段は、操作入力の指示に従い、前記管理テーブルに格納されているデータに基づき、前記第３文書ファイルに保持した、前記第１文書ファイルの編集を、前記セキュリティ設定を維持しつつ実行することを特徴とする請求項１１乃至１４のいずれかに記載の文書処理装置。
【請求項１６】
前記第１文書ファイルに設定されているセキュリティ設定を、前記第３文書ファイルの全体に反映することを可能にするヘッダ情報生成手段を更に備えることを特徴とする請求項１乃至１５のいずれかに記載の文書処理装置。
【請求項１７】
指定された第１文書ファイルを、編集対象の第２文書ファイルにインポートする文書処理方法であって、
インポートするよう指定された前記第１文書ファイルがセキュリティ設定の付加されたファイルである場合、前記第１文書ファイルのセキュリティ設定を維持したまま前記第２文書ファイルに保持させて第３文書ファイルを作成するインポート制御工程を有することを特徴とする文書処理方法。
【請求項１８】
前記第１文書ファイル内における編集を抑制しつつ、前記第３文書ファイルの編集を許可する変更制御工程を更に有することを特徴とする請求項１７に記載の文書処理方法。
【請求項１９】
前記変更制御工程は、前記第１文書ファイル内のページ配置を変更することなく、前記第３文書ファイルのページ配置を変更すること特徴とする請求項１８に記載の文書処理方法。
【請求項２０】
前記第３文書ファイルにおいて、前記第１文書ファイルを単位として編集を許可する許可工程と、
前記第1文書ファイル内において、ページ単位での編集を禁止する禁止工程とを更に有することを特徴とする請求項１７乃至１９のいずれかに記載の文書処理方法。
【請求項２１】
前記変更制御工程の変更に応じて警告を発する警告制御工程を有することを特徴とする請求項１８乃至２０のいずれかに記載の文書処理方法。
【請求項２２】
前記第１文書ファイルに基づくページに付加情報を付加する付加工程と、
前記付加工程により付加された付加情報と前記第１文書ファイルとに基づく印刷出力を行なわせる制御工程とを、更に有することを特徴とする請求項１７乃至２１のいずれかに記載の文書処理方法。
【請求項２３】
前記セキュリティ設定を維持した前記第１文書ファイルを、前記第３文書ファイルからエクスポートするエクスポート制御工程を更に有し、
前記エクスポート制御工程は前記付加情報を除く前記第１文書ファイルをエクスポートすることを特徴とする請求項２２に記載の文書処理方法。
【請求項２４】
セキュリティ設定が付加された第１文書ファイルがインポートされ、作成された前記第３文書ファイルに対する操作の制限表示を行なわせる制限メッセージ表示工程を更に有することを特徴とする請求項１７乃至２３のいずれかに記載の文書処理方法。
【請求項２５】
前記制限メッセージ表示工程は、前記第１文書ファイルに付加されるセキュリティ設定の種別に応じた前記第３文書ファイルに対する操作の制限表示を行なわせることを特徴とする請求項２４に記載の文書処理方法。
【請求項２６】
前記第１文書ファイルにセキュリティ設定が施されているか否かを識別する識別工程を更に有し、前記識別工程によりセキュリティ設定が施されていないと識別された文書ファイルが前記第２文書ファイルにインポートされた場合に前記変更制御工程は前記第３文書ファイルにおける任意のページの順番を変更することを特徴とする請求項１８乃至２５のいずれかに記載の文書処理方法。
【請求項２７】
前記第２文書ファイルと前記第１文書ファイルとを識別するための管理テーブルを生成する生成工程を有することを特徴とする請求項１７乃至２６のいずれかに記載の文書処理方法。
【請求項２８】
前記インポート制御工程は前記管理テーブルに基づき、前記セキュリティ設定がされた前記第１文書ファイルを、当該セキュリティ設定を維持した別ファイルとして、前記第３文書ファイルに保持することを特徴とする請求項２７に記載の文書処理方法。
【請求項２９】
前記生成工程は、前記第３文書ファイルにおける、前記第１文書ファイルの章とページの関係を特定するためのデータを前記管理テーブルとして生成することを特徴とする請求項２７または２８に記載の文書処理方法。
【請求項３０】
前記管理テーブルに基づき、前記第１文書ファイルがセキュリティ設定の付加されたファイルであることを識別表示するための表示出力制御工程を更に備えることを特徴とする請求項２７乃至２９のいずれかに記載の文書処理方法。
【請求項３１】
前記インポート制御工程は、操作入力の指示に従い、前記管理テーブルに格納されているデータに基づき、前記第３文書ファイルに保持した、前記第１文書ファイルの編集を、前記セキュリティ設定を維持しつつ実行することを特徴とする請求項２７乃至３０のいずれかに記載の文書処理方法。
【請求項３２】
前記第１文書ファイルに設定されているセキュリティ設定を、前記第３文書ファイルの全体に反映することを可能にするヘッダ情報生成工程を更に備えることを特徴とする請求項１７乃至３１のいずれかに記載の文書処理方法。
【請求項３３】
請求項１７乃至３２のいずれかに記載の文書処理方法をコンピュータに実行させることを特徴とする文書処理プログラム。
【請求項３４】
請求項３３に記載の文書処理プログラムを格納したことを特徴とするコンピュータ可読の記憶媒体。
【手続補正２】
【補正対象書類名】明細書
【補正対象項目名】０００９
【補正方法】変更
【補正の内容】
【０００９】
あるいは、上記課題を解決する本発明にかかる文書処理プログラムは、上記の文書処理方法をコンピュータに実行させることを特徴とする。